(57)【要約】【課題】それぞれ独立に動作する複数の送受信装置における時間経過による受信系の位相変動を補償する。【解決手段】複数の送受信装置は、共通の基準信号をそれぞれ入力し、受信ＲＦ信号の周波数帯域に逓倍してから受信ＲＦ信号に重畳して周波数ダウンコンバートする構成であり、複数の送受信装置から基準信号が重畳された受信ＩＦ信号を入力して合成する信号合成手段と、信号合成手段の合成出力から受信信号成分と基準信号成分を分離し、受信信号成分を復調装置に出力する分離手段と、分離手段で分離された基準信号成分の合成出力を入力し、基準信号成分の合成出力が最大になるように、複数の送受信装置から入力する基準信号が重畳された受信ＩＦ信号の位相変動を補償して信号合成手段に入力する位相制御手段とを備える。【選択図】  図１
2013128224.tif 000002
【特許請求の範囲】
【請求項１】
それぞれ追尾機能付きアンテナ部を有する複数の送受信装置から受信ＲＦ信号を周波数ダウンコンバートした受信ＩＦ信号を入力し、合成して復調装置に出力する追尾アンテナ装置において、
前記複数の送受信装置は、共通の基準信号をそれぞれ入力し、前記受信ＲＦ信号の周波数帯域に逓倍してから前記受信ＲＦ信号に重畳して前記周波数ダウンコンバートする構成であり、
前記複数の送受信装置から前記基準信号が重畳された受信ＩＦ信号を入力して合成する信号合成手段と、
前記信号合成手段の合成出力から受信信号成分と前記基準信号成分を分離し、受信信号成分を前記復調装置に出力する分離手段と、
前記分離手段で分離された前記基準信号成分の合成出力を入力し、前記基準信号成分の合成出力が最大になるように、前記複数の送受信装置から入力する前記基準信号が重畳された受信ＩＦ信号の位相変動を補償して前記信号合成手段に入力する位相制御手段と
を備えたことを特徴とする追尾アンテナ装置。
【請求項２】
それぞれ追尾機能付きアンテナ部を有する複数の送受信装置から受信ＲＦ信号を周波数ダウンコンバートした受信ＩＦ信号を入力し、合成して復調装置に出力する追尾アンテナ装置において、
前記複数の送受信装置は、共通の基準信号をそれぞれ入力し、前記受信ＲＦ信号の周波数帯域に逓倍してから前記受信ＲＦ信号に重畳して前記周波数ダウンコンバートする構成であり、
前記複数の送受信装置から入力する受信ＩＦ信号から受信信号成分と前記基準信号成分を分離する分離手段と、
前記複数の送受信装置に対応する前記基準信号成分を入力し、互いの位相差が０になる移相量を算出し、前記分離手段で分離された前記受信信号成分の位相変動を当該移相量に応じて補償する位相制御手段と、
前記位相変動が補償された前記受信信号成分を合成して前記復調装置に出力する信号合成手段と
を備えたことを特徴とする追尾アンテナ装置。
【請求項３】
請求項１または請求項２に記載の追尾アンテナ装置において、
前記複数の送受信装置に共通の基準信号は、基準信号発生器で発生させた基準信号を前記複数の送受信装置に伝送する送信ＩＦ信号に重畳し、または受信ＩＦ信号の経路で逆方向に伝送し、
前記複数の送受信装置は、前記送信ＩＦ信号または前記受信ＩＦ信号に重畳された前記基準信号を分波して逓倍する構成である
ことを特徴とする追尾アンテナ装置。
【請求項４】
それぞれ追尾機能付きアンテナ部を有する複数の送受信装置から受信ＲＦ信号を周波数ダウンコンバートした受信ＩＦ信号を入力し、合成して復調装置に出力する追尾アンテナ装置の受信系ＲＦ特性変動補償方法において、
前記複数の送受信装置は、共通の基準信号をそれぞれ入力し、前記受信ＲＦ信号の周波数帯域に逓倍してから前記受信ＲＦ信号に重畳して前記周波数ダウンコンバートし、
前記複数の送受信装置から入力する前記基準信号が重畳された受信ＩＦ信号を信号合成手段で合成し、
前記信号合成手段の合成出力を分離手段に入力して受信信号成分と前記基準信号成分を分離し、受信信号成分を前記復調装置に出力し、
前記分離手段で分離された前記基準信号成分の合成出力を位相制御手段に入力し、前記基準信号成分の合成出力が最大になるように、前記複数の送受信装置から入力する前記基準信号が重畳された受信ＩＦ信号の位相変動を補償して前記信号合成手段に入力する
ことを特徴とする受信系ＲＦ特性変動補償方法。
【請求項５】
それぞれ追尾機能付きアンテナ部を有する複数の送受信装置から受信ＲＦ信号を周波数ダウンコンバートした受信ＩＦ信号を入力し、合成して復調装置に出力する追尾アンテナ装置の受信系ＲＦ特性変動補償方法において、
前記複数の送受信装置は、共通の基準信号をそれぞれ入力し、前記受信ＲＦ信号の周波数帯域に逓倍してから前記受信ＲＦ信号に重畳して前記周波数ダウンコンバートし、
前記複数の送受信装置から受信ＩＦ信号を分離手段に入力し、受信信号成分と前記基準信号成分を分離し、
前記複数の送受信装置に対応する前記基準信号成分を位相制御手段に入力し、互いの位相差が０になる移相量を算出し、前記分離手段で分離された前記受信信号成分の位相変動を当該移相量に応じて補償し、
前記位相変動が補償された前記受信信号成分を信号合成手段で合成して前記復調装置に出力する
ことを特徴とする受信系ＲＦ特性変動補償方法。
【請求項６】
請求項４または請求項５に記載の受信系ＲＦ特性変動補償方法において、
前記複数の送受信装置に共通の基準信号は、基準信号発生器で発生させた基準信号を前記複数の送受信装置に伝送する送信ＩＦ信号に重畳し、または受信ＩＦ信号の経路で逆方向に伝送し、
前記複数の送受信装置は、前記送信ＩＦ信号または前記受信ＩＦ信号に重畳された前記基準信号を分波して逓倍する
ことを特徴とする受信系ＲＦ特性変動補償方法。
【発明の詳細な説明】
【技術分野】
【０００１】
本発明は、移動体衛星通信用地球局装置における追尾アンテナ装置および受信系ＲＦ特性変動補償方法に関する。
【背景技術】
【０００２】
衛星通信は広範なサービスエリアと災害に強い特徴を有しているため、地上回線の使用困難な洋上やデジタルディバイド地域、災害時の通信環境構築に広く利用されている。しかしながら、36,000ｋｍ上空の静止衛星を介する通信の場合、伝搬損失が非常に大きいため、伝送速度や伝送容量を向上させるためには、地球局の性能を向上させる必要がある。これを低コストで実現する技術として、移動局および固定局ともに複数のアンテナを使用する追尾アンテナ装置が検討されている（非特許文献１，非特許文献２）。ここで、追尾アンテナ装置は、各種センサ情報や通信の相手方からの受信信号から指向方向推定や指向方向誤差量を検出し、アンテナの指向方向（仰角および方位角）を機械的に制御する機能を備えている。
【０００３】
図４は、複数のアンテナを使用する従来の追尾アンテナ装置の構成例を示す。
図４において、追尾アンテナ装置は、複数Ｎ個の送受信装置５０−１〜５０−Ｎ、位相制御装置６０および変復調装置７０により構成される。
【０００４】
図５は、従来の送受信装置５０−ｋの構成例を示す（ｋ＝１〜Ｎ）。
図５において、送受信装置５０−ｋは、追尾機能付きアンテナ部５１と、周波数アップコンバート器５２と、周波数ダウンコンバート器５３により構成される。
【０００５】
周波数アップコンバート器５２は、10ＭHz参照信号を入力する局部発振器５２１と周波数変換器５２２を備える。周波数変換器５２２は、変復調装置７０から位相制御装置６０を介して入力する周波数ｆIFの送信ＩＦ信号ＴIF(k) と、局部発振器５２１から入力するローカル信号とをミキシングし、周波数ｆRFの送信ＲＦ信号ＴRF(k) を追尾機能付きアンテナ部５１に出力する。ここで、Δθkt(t) は、ローカル信号に含まれる位相成分である。
【０００６】
周波数ダウンコンバート器５３は、10ＭHz参照信号を入力する局部発振器５３１と周波数変換器５３２を備える。周波数変換器５３２は、追尾機能付きアンテナ部１１から入力する周波数ｆRFの受信ＲＦ信号ＲRF(k) と、局部発振器５３１から入力するローカル信号とをミキシングし、周波数ｆIFの受信ＩＦ信号ＲIF(k) を位相制御装置６０を介して変復調装置７０に出力する。ここで、Δθkr(t) は、ローカル信号に含まれる位相成分である。
【０００７】
このような追尾アンテナ装置では、複数の送受信装置５０−１〜５０−Ｎからの送信信号が衛星局に対して所定の位相で送信するように制御し、受信信号に関しては最大比合成（または同相合成）することで、ＥＩＲＰ（実効放射電力）およびＧ／Ｔ（受信性能）を向上させている。
【先行技術文献】
【非特許文献】
【０００８】
【非特許文献１】須崎、鈴木、山下、小林、「複数アンテナを用いた船上地球局追尾アンテナの検討」、2010年電子情報通信学会ソサイエティ大会、 B-3-19 、2010
【非特許文献２】鈴木、須崎、廣瀬、小林、「分散アレーアンテナシステムの固定局適用に関する検討」、衛星通信研究会 SAT2011-36 、2011
【非特許文献３】須崎、鈴木、小林、「ＥＳＶ用分散アレーアンテナの船上環境における経路長変動補償方法の検討」、衛星通信研究会 SAT2011-9、2011
【発明の概要】
【発明が解決しようとする課題】
【０００９】
図４に示した従来の追尾アンテナ装置における各送受信装置５０−１〜５０−Ｎは、図５に示すように個々に周波数アップコンバート器５２および周波数ダウンコンバート器５３を備えている。
【００１０】
各送受信装置が備える局部発振器５２１，５３１は、共通の参照信号（例えば10ＭHz参照信号) を入力し、同一の周波数（ｋｕ帯（14／12ＧHz) では送信系 13.05ＧHz，受信系 11.30ＧHz）で発振している。ここで、ローカル信号と参照信号との周波数差が1000倍超であるため、局部発振器５２１，５３１の分周等によるわずかな位相のずれΔθkt(t) 、Δθkr(t) が蓄積されると、各送受信装置間で時間経過とともに相対的な位相が変動する。図６は、送受信装置間の受信系に生じる相対位相差の時間変動例を示す。同一の入力信号に対する２つの周波数ダウンコンバート器の出力信号にこのような相対位相差が生じると、合成信号の利得の低下といった問題が生じる。
【００１１】
ところで、受信に特化した場合は、周波数ダウンコンバート器の位相変動を含めて最大比合成（または同相合成）を行うため、問題にはならなかった。
【００１２】
しかし、地球局が移動する場合、複数のアンテナから信号を衛星局に対して所定の位相で送信するように制御するには、周波数アップコンバート器の位相変動のみならず、周波数ダウンコンバート器の位相変動についても移動に伴う経路長変動を補償する必要がある。移動に伴う補償量算出には、到来波推定方法を用いて衛星電波の到来方向を求める手法が報告されている（非特許文献３）。到来波推定方法を適用する場合、各受信アンテナ入力から信号処理入力部までの通過特性が既知（または校正状態）である必要があるため、周波数ダウンコンバート器の位相変動があれば、到来波推定方法が図７に示すように大幅に劣化する。図７では、アンテナの所望の指向方向（仰角および方位角）の他に複数のピークが立っている状態を示し、衛星電波の到来方向の誤差となることがわかる。
【００１３】
この問題を解決するためには、位相制御装置６０において、各送受信装置５０−ｋの周波数ダウンコンバート器５３の入力に位相の基準となる信号（基準信号）を入力し、各周波数ダウンコンバート器５３の出力位相を比較し、基準信号の位相差が０になるようにフィードバック制御を行うことが考えられる。しかし、周波数ダウンコンバート器へ入力する基準信号の周波数はＫｕ帯（12ＧHz帯）にする必要があり、さらに位相制御装置６０と各送受信装置５０−ｋ間もメートルオーダとなる場合もあることから、損失や環境変化による位相変動の点を考慮すると、周波数ダウンコンバート器へはＫｕ帯の基準信号の供給は困難であった。
【００１４】
本発明は、それぞれ独立に動作する複数の送受信装置の受信系における時間経過による位相変動を補償することができる追尾アンテナ装置および受信系ＲＦ特性変動補償方法を提供することを目的とする。
【課題を解決するための手段】
【００１５】
第１の発明は、それぞれ追尾機能付きアンテナ部を有する複数の送受信装置から受信ＲＦ信号を周波数ダウンコンバートした受信ＩＦ信号を入力し、合成して復調装置に出力する追尾アンテナ装置において、複数の送受信装置は、共通の基準信号をそれぞれ入力し、受信ＲＦ信号の周波数帯域に逓倍してから受信ＲＦ信号に重畳して周波数ダウンコンバートする構成であり、複数の送受信装置から基準信号が重畳された受信ＩＦ信号を入力して合成する信号合成手段と、信号合成手段の合成出力から受信信号成分と基準信号成分を分離し、受信信号成分を復調装置に出力する分離手段と、分離手段で分離された基準信号成分の合成出力を入力し、基準信号成分の合成出力が最大になるように、複数の送受信装置から入力する基準信号が重畳された受信ＩＦ信号の位相変動を補償して信号合成手段に入力する位相制御手段とを備える。
【００１６】
第２の発明は、それぞれ追尾機能付きアンテナ部を有する複数の送受信装置から受信ＲＦ信号を周波数ダウンコンバートした受信ＩＦ信号を入力し、合成して復調装置に出力する追尾アンテナ装置において、複数の送受信装置は、共通の基準信号をそれぞれ入力し、受信ＲＦ信号の周波数帯域に逓倍してから受信ＲＦ信号に重畳して周波数ダウンコンバートする構成であり、複数の送受信装置から入力する受信ＩＦ信号から受信信号成分と基準信号成分を分離する分離手段と、複数の送受信装置に対応する基準信号成分を入力し、互いの位相差が０になる移相量を算出し、分離手段で分離された受信信号成分の位相変動を当該移相量に応じて補償する位相制御手段と、位相変動が補償された受信信号成分を合成して復調装置に出力する信号合成手段とを備える。
【００１７】
第１の発明または第２の発明の追尾アンテナ装置において、複数の送受信装置に共通の基準信号は、基準信号発生器で発生させた基準信号を複数の送受信装置に伝送する送信ＩＦ信号に重畳し、または受信ＩＦ信号の経路で逆方向に伝送し、複数の送受信装置は、送信ＩＦ信号または受信ＩＦ信号に重畳された基準信号を分波して逓倍する構成である。
【００１８】
第３の発明は、それぞれ追尾機能付きアンテナ部を有する複数の送受信装置から受信ＲＦ信号を周波数ダウンコンバートした受信ＩＦ信号を入力し、合成して復調装置に出力する追尾アンテナ装置の受信系ＲＦ特性変動補償方法において、複数の送受信装置は、共通の基準信号をそれぞれ入力し、受信ＲＦ信号の周波数帯域に逓倍してから受信ＲＦ信号に重畳して周波数ダウンコンバートし、複数の送受信装置から入力する基準信号が重畳された受信ＩＦ信号を信号合成手段で合成し、信号合成手段の合成出力を分離手段に入力して受信信号成分と基準信号成分を分離し、受信信号成分を復調装置に出力し、分離手段で分離された基準信号成分の合成出力を位相制御手段に入力し、基準信号成分の合成出力が最大になるように、複数の送受信装置から入力する基準信号が重畳された受信ＩＦ信号の位相変動を補償して信号合成手段に入力する。
【００１９】
第４の発明は、それぞれ追尾機能付きアンテナ部を有する複数の送受信装置から受信ＲＦ信号を周波数ダウンコンバートした受信ＩＦ信号を入力し、合成して復調装置に出力する追尾アンテナ装置の受信系ＲＦ特性変動補償方法において、複数の送受信装置は、共通の基準信号をそれぞれ入力し、受信ＲＦ信号の周波数帯域に逓倍してから受信ＲＦ信号に重畳して周波数ダウンコンバートし、複数の送受信装置から受信ＩＦ信号を分離手段に入力し、受信信号成分と基準信号成分を分離し、複数の送受信装置に対応する基準信号成分を位相制御手段に入力し、互いの位相差が０になる移相量を算出し、分離手段で分離された受信信号成分の位相変動を当該移相量に応じて補償し、位相変動が補償された受信信号成分を信号合成手段で合成して復調装置に出力する。
【００２０】
第３の発明または第４の発明の受信系ＲＦ特性変動補償方法において、複数の送受信装置に共通の基準信号は、基準信号発生器で発生させた基準信号を複数の送受信装置に伝送する送信ＩＦ信号に重畳し、または受信ＩＦ信号の経路で逆方向に伝送し、複数の送受信装置は、送信ＩＦ信号または受信ＩＦ信号に重畳された基準信号を分波して逓倍する。
【発明の効果】
【００２１】
本発明は、時間経過による受信系の位相変動を補償することにより、移動に伴う経路長変動補償が可能となるため、送信ＥＩＲＰおよび指向方向を安定させることができる。
【００２２】
また、各送受信装置に共通の基準信号として低い周波数を用い、各送受信装置で逓倍して受信ＲＦ信号に重畳することにより、各送受信装置で周波数ダウンコンバートした受信ＩＦ信号に重畳した基準信号のフィードバック信号を得ることができる。
【００２３】
また、他ユーザが使用していないＲＦ周波数に合わせて基準信号の周波数を変えることにより、他ユーザ等の干渉がない安定したフィードバック信号を得ることができる。
【００２４】
送信ＩＦ信号周波数または受信ＩＦ信号周波数と基準信号周波数が異なるように選び、送受信装置内で分波することで、両者を同一の信号線に重畳して供給することが可能となり、信号線の数を少なくすることができる。
【図面の簡単な説明】
【００２５】
【図１】本発明の追尾アンテナ装置の実施例１の構成例を示す図である。
【図２】実施例１における送受信装置１０−ｋの構成例を示す図である。
【図３】本発明の追尾アンテナ装置の実施例２の構成例を示す図である。
【図４】複数のアンテナを使用する従来の追尾アンテナ装置の構成例を示す図である。
【図５】従来の送受信装置５０−ｋの構成例を示す図である。
【図６】送受信装置間の受信系に生じる相対位相差の時間変動例を示す図である。
【図７】周波数ダウンコンバート器の位相変動の影響例を示す図である。
【発明を実施するための形態】
【実施例１】
【００２６】
図１は、本発明の追尾アンテナ装置の実施例１の構成例を示す。
図１において、実施例１の追尾アンテナ装置は、複数Ｎ個の送受信装置１０−１〜１０−Ｎと、位相制御装置２０と、変復調装置３０とを備え、送受信装置１０−ｋ（ｋ＝１〜Ｎ）の周波数ダウンコンバート器における相対的な位相差を位相制御装置２０で補償する構成である。
【００２７】
位相制御装置２０は、送信系の分配・移相器２１および基準信号重畳器２２と、受信系の移相器２３、信号合成器２４、受信信号／基準信号分離フィルタ２５、制御部２６により構成される。
【００２８】
分配・移相器２１は、送信ＩＦ信号を入力して各送受信装置１０−ｋに分配する送信ＩＦ信号の出力位相を設定する。基準信号重畳器２２は、分配・移相器２１から出力される送信ＩＦ信号に周波数ｆREF の基準信号（＝cos(2πfREFt))を重畳する。なお、送信系において、各送受信装置１０−ｋから出力される送信ＲＦ信号の位相変動を検出し、この位相変動が補償されるように送信ＩＦ信号の出力位相を制御する制御手段があるが、ここでは省略する。また、送信ＩＦ信号に設定される出力位相成分についても省略して表記している。
【００２９】
各送受信装置１０−ｋから受信ＩＦ信号を入力する受信系の構成および動作については後述する。
【００３０】
図２は、実施例１における送受信装置１０−ｋの構成例を示す。
図２において、送受信装置１０−ｋは、追尾機能付きアンテナ部１１と、周波数アップコンバート器１２と、周波数ダウンコンバート器１３と、分波器１４と、逓倍器１５と、加算器１６により構成される。
分波器１４は、位相制御装置２０から入力する送信ＩＦ信号ＴIF(k) から送信ＩＦ信号（＝cos(2πfIFt)) と基準信号（＝cos(2πfREFt))を分波する。周波数アップコンバート器１２は、分波器１４で分波された送信ＩＦ信号（＝ cos(2πfIFt))とローカル信号をミキシングして周波数変換を行い、送信ＲＦ信号ＴRF(k) へ変換する。
【００３１】
分波器１４で分波された基準信号（＝cos(2πfREFt))は逓倍器１５に入力する。逓倍器１５は、この基準信号をＬ（Ｌは自然数）逓倍し、追尾機能付きアンテナ部１１から入力する受信ＲＦ信号ＲRF(k) の周波数帯に変換する。加算器１６は、受信ＲＦ信号ＲRF(k) （＝cos(2πfRFt)) とＬ逓倍された基準信号（＝cos(2πＬfREFt))を重畳し、周波数ダウンコンバート器１３に入力する。両者のスペクトラムを図２に示す。周波数ダウンコンバート器１３は、受信ＲＦ信号ＲRF(k) およびＬ逓倍された基準信号と、周波数  LOのローカル信号をそれぞれミキシングして周波数変換を行い、受信ＩＦ信号ＲIF(k) へ変換する。ここで、受信ＲＦ信号ＲRF(k) の周波数 fRFは fIF1 (＝ fRF−fLO）となり、基準信号の周波数ＬfREF は fIF2 （＝ＬfREF−fLO）となる。このとき、ローカル信号の位相成分Δθkr(t) がそれぞれ付加される。
【００３２】
図１において、位相制御装置２０は、各送受信装置１０−ｋから基準信号を含む受信ＩＦ信号を移相器２３を介して信号合成器２４に入力し、合成する。合成された基準信号を含む各受信ＩＦ信号は、受信信号／基準信号分離フィルタ２５で受信ＩＦ信号と基準信号に分離され、合成された基準信号（周波数 fIF2＝ＬfREF−fLO）が制御部２６に入力する。制御部２６は、基準信号の合成出力が最大になるように、移相器２３の各送受信装置１０−ｋの受信ＩＦ信号および基準信号の出力位相を制御する。例えば、送受信装置１０−１から入力する受信ＩＦ信号の出力位相を基準に、送受信装置１０−２〜１０−Ｎから入力する受信ＩＦ信号の出力位相を順次制御する。受信信号／基準信号分離フィルタ２５は出力位相が制御された各受信ＩＦ信号を基準信号から分離して変復調装置３０に出力する。これにより、各送受信装置１０−ｋの周波数ダウンコンバート器から変復調装置３０までの通過位相を常に一定の状態に維持することができる。
【実施例２】
【００３３】
図３は、本発明の追尾アンテナ装置の実施例２の構成例を示す。
図３において、実施例２の追尾アンテナ装置は、複数Ｎ個の送受信装置１０−１〜１０−Ｎと、位相制御装置２０と、変復調装置３０とを備え、送受信装置１０−ｋ（ｋ＝１〜Ｎ）の周波数ダウンコンバート器における相対的な位相差を位相制御装置２０で補償する構成である。
【００３４】
位相制御装置２０は、送信系の分配・移相器２１および基準信号重畳器２２と、受信系の受信信号／基準信号分離フィルタ２７、移相器２３、信号合成器２４、制御部２８により構成される。実施例１との違いは、位相制御装置２０における受信系の構成にある。
【００３５】
位相制御装置２０は、各送受信装置１０−ｋから受信ＩＦ信号を受信信号／基準信号分離フィルタ２７に入力し、受信ＩＦ信号（周波数 fIF2＝ fRF−fLO）と基準信号（周波数 fIF2＝ＬfREF−fLO）に分離し、それぞれ移相器２３および制御部２８に入力する。制御部２８は、各送受信装置１０−ｋに対する基準信号の位相を比較し、互いの位相差が０になる移相量を算出し、移相器２３に出力する。移相器２３は、当該移相量に基づいて各送受信装置１０−ｋからの受信ＩＦ信号の出力位相を制御する。例えば、送受信装置１０−１から入力する基準信号の出力位相を基準に、送受信装置１０−２〜１０−Ｎから入力する受信ＩＦ信号の出力位相との位相差が０になる移相量を算出し、当該移相量に基づいて各受信ＩＦ信号の位相を順次制御する。信号合成器２４は、出力位相が制御された各受信ＩＦ信号を合成して変復調装置３０に出力する。これにより、各送受信装置１０−ｋの周波数ダウンコンバート器から変復調装置３０までの通過位相を常に一定の状態に維持することができる。
【実施例３】
【００３６】
実施例１または実施例２において、位相制御装置２０から各送受信装置１０−ｋに伝送する基準信号は、送信ＩＦ信号に重畳して伝送したが、各送受信装置１０−ｋから位相制御装置２０に伝送される受信ＩＦ信号の経路から送信し、各送受信装置１０−ｋの分波器で分波するようにしてもよい。また、送信ＩＦ信号や受信ＩＦ信号とは独立した信号線で各送受信装置１０−ｋに基準信号を伝送してもよい。この場合には、各送受信装置１０−ｋに基準信号を供給する基準信号発生器は、位相制御装置２０の外に設置してもよい。
【００３７】
また、基準信号を用いる代わりに、位相制御装置２０から各送受信装置１０−ｋに分配される送信ＩＦ信号を用い、各送受信装置１０−ｋにおいて送信ＩＦ信号を２分岐し、図２に示す周波数アップコンバート器１２および逓倍器１５に入力するようにしてもよい。
【符号の説明】
【００３８】
１０−１〜１０−Ｎ  送受信装置
１１  追尾機能付きアンテナ部
１２  周波数アップコンバート器
１３  周波数ダウンコンバート器
１４  分波器
１５  逓倍器
１６  加算器
２０  位相制御装置
２１  分配・移相器
２２  基準信号重畳器
２３  移相器
２４  信号合成器
２５，２８  制御部
２６  受信信号成分抽出フィルタ
２７  受信信号／基準信号分離フィルタ
３０  変復調装置
【図１】
2013128224.tif 000003
【図２】
2013128224.tif 000004
【図３】
2013128224.tif 000005
【図４】
2013128224.tif 000006
【図５】
2013128224.tif 000007
【図６】
2013128224.tif 000008
【図７】
2013128224.tif 000009